(57)【要約】【課題】本発明は、緊急事態が発生した際に、最も適した緊急指令を正確に且つ迅速に伝達することができる緊急指令システム及びその方法を提供することを目的とする。【解決手段】本発明の緊急指令システムは、入力インターフェースユニットと、現場情報ユニットと、緊急動態提供ユニット、現場状況推断ユニットと、出力インターフェースユニット及び指揮ユニットと、を備え、緊急指令システムは、入力インターフェースユニットによって実時間観察モード、予測モード、現場状況判断モードを選び、実時間観察モードを選んだ場合、現場シミュレーションデータによって、現場状況判断図表を作成し、予測モードを選んだ場合、現場シミュレーションデータによって、現場状況判断図表を作成し、現場状況判断モードを選んだ場合、現場シミュレーションデータ及び策略データによって、現場状況判断図表を作成する。【選択図】図１
2013097810.tif 000002
【特許請求の範囲】
【請求項１】
緊急指令システムは、入力インターフェースユニットと、現場情報を備える現場情報ユニットと、災害調査装置から、緊急事態の警報情報を受信し且つ該警報情報と、緊急事態の現場情報によって緊急事態の現場状況をシミュレーションする緊急動態提供ユニットと、現場状況判断図表を作成する現場状況推断ユニットと、現場状況判断図表を表す出力インターフェースユニットと、入力インターフェースユニットによって入力した策略によって指揮信号を生成し、該指揮信号は、入力インターフェースユニットの制御信号に応答し且つ端末装置に送信される指揮ユニットと、を備え、緊急指令システムは、入力インターフェースユニットによって、実時間観察モード、予測モード、現場状況判断モードの仕事モードを選び、実時間観察モードを選んだ場合、現場シミュレーションデータによって、緊急事態の現場状况の未来状況をシミュレーションした現場状況判断図表を作成し、予測モードを選んだ場合、現場シミュレーションデータによって、緊急事態の現場状况の未来状況をシミュレーションした現場状況判断図表を作成し、現場状況判断モードを選んだ場合、現場シミュレーションデータ及び策略データによって、緊急事態の現場状况の未来状況をシミュレーションした現場状況判断図表を生成することを特徴とする緊急指令システム。
【請求項２】
現場状況推断ユニットは、策略データにおける策略效果を記録し且つ該策略效果が、現場状況判断モード中に生成された未来状况をシミュレーションした予期効果より良くない場合、警告情報を生成することを特徴とする請求項１に記載の緊急指令システム。
【請求項３】
現場状況推断ユニットは、方案提供モジュールを備え、該方案提供モジュールは、推薦方案を生成し、該推薦方案は、入力インターフェースユニットによって編集され且つ策略データとして設定され、緊急事態における警報情報と、現場情報によって生成されることを特徴とする請求項１に記載の緊急指令システム。
【請求項４】
方案提供モジュールは、推薦方案を更新し、該推薦方案は緊急事態における動態変更情報と応答することを特徴とする請求項３に記載の緊急指令システム。
【請求項５】
緊急指令システムは、複数のセンサーから受信した災害調査装置の警報情報によって、緊急事態を確認し、災害調査装置は、警報情報を緊急指令システムに送信し、警報情報は、センサーが感知した緊急事態中において発生した動態情報を備え、方案提供モジュールは、予定誘導方案データベースを備え、該予定誘導方案データベースは、センサーにおける予定誘導方案を備え、方案提供モジュールは、警報情報中のセンサーによって感知して獲得した動態情報と、緊急事態における現場情報によって少なくとも一つの予定誘導方案を選び且つ予定誘導方案を推薦方案にすることを特徴とする請求項３に記載の緊急指令システム。
【請求項６】
緊急動態提供ユニット及び現場状況推断ユニットが、遠隔計算システム中に設置された際、ネット及び緊急指令システムによって通信し、該緊急指令システムは、警報情報と、緊急事態発生場所Ｅにおける現場情報と、策略データと、を遠隔計算システムに送信して、遠隔計算システムが作成した現場状況判断図表を受信することを特徴とする請求項１に記載の緊急指令システム。
【請求項７】
災害調査装置は、緊急事態における警報情報を受信し、警報情報と、緊急事態における現場情報及び端末装置における端末装置情報信号によって、現場シミュレーションデータを生成し、実時間観察モードを選んだ場合、現場シミュレーションデータによって、緊急事態の現場状况の未来状況をシミュレーションした現場状況判断図表を作成し、予測モードを選んだ場合、現場シミュレーションデータによって、緊急事態の現場状况の未来状況をシミュレーションした現場状況判断図表を作成し、現場状況判断モードを選んだ場合、現場シミュレーションデータ及び策略データによって、緊急事態の現場状况の未来状況をシミュレーションした現場状況判断図表を作成し、策略データは、指揮信号を生成し、指揮信号は入力インターフェースユニットの制御信号と応答し、端末装置は、該指揮信号を受信することを特徴とする緊急指令方法。
【発明の詳細な説明】
【技術分野】
【０００１】
本発明は、緊急指令システム及びその方法、特に火災現場の緊急指令システム及びその方法に関するものである。
【背景技術】
【０００２】
建物の中で、火災等の緊急事態が発生した際は、すぐに警報器が警報し、事態を制御する。しかし、従来の緊急システムは、システム内の情報が不足しているため、緊急事態が発生した際、警報器に対して、最も適切な警報をさせることができない。また、警報器は、緊急事態の予測及び緊急事態が発生した際の状況の記録ができないので、緊急システムを実施する際に影響を与えることがある。
【発明の概要】
【発明が解決しようとする課題】
【０００３】
以上の問題点に鑑みて、本発明は、緊急事態が発生した際に、最も適した緊急指令を、正確に且つ迅速に伝達することができる緊急指令システム及びその方法を提供することを目的とする。
【課題を解決するための手段】
【０００４】
緊急指令システムは、入力インターフェースユニットと、現場情報を備える現場情報ユニットと、災害調査装置から、緊急事態の警報情報を受信し且つ該警報情報と、緊急事態の現場情報によって緊急事態の現場状況をシミュレーションする緊急動態提供ユニットと、現場状況判断図表を作成する現場状況推断ユニットと、現場状況判断図表を表す出力インターフェースユニットと、入力インターフェースユニットによって入力した策略によって指揮信号を生成し、該指揮信号は、入力インターフェースユニットの制御信号に応答し且つ端末装置に送信される指揮ユニットと、を備え、緊急指令システムは、入力インターフェースユニットによって、実時間観察モード、予測モード、現場状況判断モードの仕事モードを選び、実時間観察モードを選んだ場合、現場シミュレーションデータによって、緊急事態の現場状况の未来状況をシミュレーションした現場状況判断図表を作成し、予測モードを選んだ場合、現場シミュレーションデータによって、緊急事態の現場状况の未来状況をシミュレーションした現場状況判断図表を作成し、現場状況判断モードを選んだ場合、現場シミュレーションデータ及び策略データによって、緊急事態の現場状况の未来状況をシミュレーションした現場状況判断図表を生成する。
【０００５】
緊急指令方法について、前記災害調査装置は、災害調査装置は、緊急事態における警報情報を受信し、警報情報と、緊急事態における現場情報及び端末装置における端末装置情報信号によって、現場シミュレーションデータを生成し、実時間観察モードを選んだ場合、現場シミュレーションデータによって、緊急事態の現場状况の未来状況をシミュレーションした現場状況判断図表を作成し、予測モードを選んだ場合、現場シミュレーションデータによって、緊急事態の現場状况の未来状況をシミュレーションした現場状況判断図表を作成し、現場状況判断モードを選んだ場合、現場シミュレーションデータ及び策略データによって、緊急事態の現場状况の未来状況をシミュレーションした現場状況判断図表を作成し、策略データは、指揮信号を生成し、指揮信号は入力インターフェースユニットの制御信号と応答し、端末装置は、該指揮信号を受信する。
【発明の効果】
【０００６】
本発明に係る緊急指令システム及びその方法は、緊急事態発生現場の十分な情報を提供でき、且つ緊急事態発生現場を指揮することができる。また、仕事モードを選択することを通して、策略の效果を予測し、実時間に記録することができる。これにより、緊急事態が発生した際に最も適した緊急指令を正確に、且つ迅速に伝達することができる。
【図面の簡単な説明】
【０００７】
【図１】本発明に係る第一実施形態の緊急指令システムを示す図である。
【図２】図１に示した緊急指令システムの実時間観察モードを示す図である。
【図３】図１に示した緊急指令システムの予測モードを示す図である。
【図４】図１に示した緊急指令システムの現場状況判断モードが出した予定誘導案を示す図である。
【図５】図１に示した緊急指令システムの現場状況判断モードが出した編集された予定誘導案を示す図である。
【図６】図１に示した緊急指令システムの現場状況判断モードが出した策略シミュレーションの效果を示す図である。
【図７】図１に示した緊急指令システムの現場状況判断モードが出した警告情報を示す図である。
【図８】本発明の第二実施形態の緊急指令システムを示す図である。
【図９】本発明の第一実施形態の緊急指令方法を示すフローチャートである。
【図１０】本発明の第二実施形態の緊急指令方法を示すフローチャートである。
【図１１】図１０に示す本発明の第二実施形態の緊急指令方法を示す後続のフローチャートである。
【発明を実施するための形態】
【０００８】
以下、図面に基づいて、本発明に係る緊急指令システム及びその方法について詳細に説明する。
【０００９】
図１〜図３に示したように、本発明の実施形態一に係る緊急指令システムは、入力インターフェースユニット１０と、出力インターフェースユニット２０と、現場情報ユニット３０と、緊急事態提供ユニット４０と、現場状況推断ユニット５０及び指揮ユニット６０と、を備える。本発明の実施形態一において、緊急指令システムは、火災など緊急事態が発生した場合に使用されるが、他の緊急事態、例えば地震、不法進入などにも使用することができる。また、該緊急指令システムは、パソコン、或いはノートパソコンなどの電子装置に設置され、無線ネットワーク２００、端末装置１００によって通信される。無線ネットワーク２００は、Ｗｉ−Ｆｉ（ｗｉｒｅｌｅｓｓ  ｆｉｄｅｌｉｔｙ）、ブルートゥース（登録商標）、ＧＳＭ（登録商標）（Ｇｌｏｂａｌ  Ｓｙｓｔｅｍ  ｆｏｒ  Ｍｏｂｉｌｅ  Ｃｏｍｍｕｎｉｃａｔｉｏｎｓ）などの電信標準である。端末装置１００は、タブレットパソコン或いは携帯電話などの携帯式通信装置である。他の実施形態として、緊急指令システムは、無線又は有線の方法によって、例えば構内通信網或は端末装置１００などによって通信することができる。端末装置１００は、ノートパソコンなどの電子装置である。
【００１０】
入力インターフェースユニット１０は、キーボード、マウス、タッチパネルなどのユーザーインターフェース（ｈｕｍａｎ  ｍａｃｈｉｎｅ  ｉｎｔｅｒｆａｃｅ，ＨＭＩ）であり、データの入力に用いられる。出力インターフェースユニット２０は、ディスプレイなどのユーザーインターフェースであり、データを出力することに用いられる。現場情報ユニット３０は、複数の現場情報Ｉｆ（図示せず）と、を備える。本実施形態において、各々の該現場情報Ｉｆは、消防装置情報Ｉａ（図示せず）をそれぞれ備える。該消防装置情報Ｉａは、現場内の消防装置の情報、例えば消防装置の種類、位置などである。緊急事態提供ユニット４０は、災害調査装置３００から、緊急事態発生場所Ｅ（図２を参照、例えば火災が発生した場所）の警報信号Ｓａ（図示せず）を受信する。災害調査装置３００は、複数のセンサー４００を備え、該センサー４００は、煙、熱などを感知するセンサーであり、現場シミュレーションデータＤｓ（図示せず）によって、実時間に対応する警報信号Ｓａ（図示せず）を生成する。現場シミュレーションデータＤｓは、警報信号Ｓａ中、感知したセンサー４００の現場動態情報Ｉｓ（図示せず）と、緊急事態発生場所Ｅの現場情報Ｉｆと、端末装置１００と、が提供した端末装置情報Ｓｔ（図示せず）によって、緊急事態発生場所Ｅで発生した緊急事態の現場状況をシミュレーションする。端末装置情報Ｓｔは、端末装置１００によって提供され、且つ端末装置１００の位置情報を備える。また、端末装置情報Ｓｔは、位置を確認することができる他の端末装置１００によって提供されることも可能であり、各々の端末装置情報Ｓｔは、端末装置１００のユーザーの情報、例えば職業、機能などを備える。
【００１１】
前記緊急指令システムは、災害調査装置３００から受信した警報情報Ｓａによって、緊急事態発生場所Ｅを確認し、この際、災害調査装置３００は、複数のセンサー４００と接続する。本実施形態において、災害調査装置３００は、火災警報の制御ユニットであり、送信された警報情報Ｓａは、センサー４００が感知した緊急事態発生場所Ｅ中で発生した緊急事態の現場動態情報Ｉｓを備える。現場シミュレーションデータＤｓは、該現場動態情報Ｉｓと、現場情報Ｉｆによって生成される、或いは該動態情報Ｉｓと、現場情報Ｉｆ及び緊急事態発生場所Ｅの他の情報によって生成される。また、緊急指令システムは、直接にセンサー４００から警報情報Ｓａを受信することもできる。
【００１２】
現場状況推断ユニット５０は、現場状況判断図表Ｄｉ（図２〜７を参照）を作成して、緊急事態発生場所Ｅの現場状態を報告する。現場状況判断図表Ｄｉは、現場シミュレーションデータＤｓと策略データＤｔ（図示せず）によって作成されるか、現場シミュレーションデータＤｓ或は策略データＤｔによって作成され、緊急事態発生場所Ｅで発生した緊急事態に対する最も適切な指示（例えば消火過程、避難方法など）を提供する。策略データＤｔは、入力インターフェースユニット１０によって入力され、現場状況判断図表Ｄｉは、出力インターフェースユニット２０によって表示される。緊急指令システムは、実時間観察モードＭｍ（図２を参照）、予測モードＭｆ（図３を参照）、現場状況判断モードＭｉ（図５〜７を参照）の中から一つのモードを選択し、該モードは、入力インターフェースユニット１０によって切り替えられる。
【００１３】
図２に示したように、フロア平面図をＦ、センサー４００をＳ、消防装置をＡと表記して、フロアにおけるセンサー４００及び消防装置の分布を表す。フロア平面図Ｆは、ルームＲ１〜Ｒ６及び緊急事態発生場所Ｅを備える。緊急事態発生場所Ｅのエリアは、センサー４００によって感知され、且つ斜線で表す。移動装置はＰ１〜Ｐ６によって表記して、端末装置１００の位置を表す。実時間観察モードＭｍ中、現場状況推断ユニット５０は、現場シミュレーションデータＤｓによって、緊急事態発生場所Ｅの現場状况における現場状況判断図表Ｄｉを作成して、緊急事態発生場所Ｅの実時間の動態を表す。
【００１４】
図３に示したように、前記予測モードＭｆ中、現場状況推断ユニット５０は、現場シミュレーションデータＤｓによって、緊急事態発生場所Ｅの現場状况の未来状況をシミュレーションした現場状況判断図表Ｄｉを作成する。本発明の実施形態一において、未来状况シミュレーション時間は、１０分と設定されるが、この時間は、入力インターフェースユニット１０によって調整することができる。予測モードＭｆは、緊急事態発生場所Ｅの発展の動向を表す。
【００１５】
現場状況推断ユニット５０は、さらに、方案提供モジュール５１を備え、且つ推薦方案Ｒ（行動方案）（図４を参照）を作成する。該推薦方案Ｒは、実際の要求に応じて、入力インターフェースユニット１０によって編集され、且つ策略データＤｔとして設定される。方案提供モジュール５１は、動態変更情報Ｓｕ（図示せず）によって、推薦方案Ｒを更新し、動態変更情報Ｓｕは、緊急事態発生場所Ｅの如何なる変化によっても作成される。緊急事態発生場所Ｅの情報の変化は、例えば、端末装置１００のユーザーの報告或いはセンサー４００のデータの変化であり、動態変更情報Ｓｕは、端末装置１００から獲得する。ここでのユーザーは、消防隊員、救急隊員などである。本発明の実施形態一において、方案提供モジュール５１は、予定誘導方案データベース５１１を備え、該予定誘導方案データベース５１１は、センサー４００における予定誘導方案Ｇｐ（図示せず）を備える。予定誘導方案Ｇｐは、複数の感知したデータによって誘導方案を選ぶが、その感知したデータは、センサー４００から獲得し、且つセンサー４００の位置、種類、調査したデータ及び駆動時間、を備える。各々の予定誘導方案Ｇｐは、複数のセンサー４００の状態を備え、端末装置１００が選んだ方案及び情報を提供する。また、予定誘導方案Ｇｐは、さらに他の情報を備えることができ、例えば緊急事態発生場所Ｅにおける使用可能な消防装置、或いは非難経路と、を備える。方案提供モジュール５１は、少なくとも一つの予定誘導方案Ｇｐを選んだ後、該予定誘導方案Ｇｐを推薦方案Ｒとし、該推薦方案Ｒは、警報情報Ｓａ中のセンサー４００を感知して獲得した動態情報Ｉｓと、緊急事態発生場所Ｅにおける現場情報Ｉｆ及び端末装置１００における端末装置情報信号Ｓｔと、によって選択する。また、推薦方案Ｒは、センサー４００を感知した動態情報Ｉｓ及び現場情報Ｉｆを直接選択する、或いは該動態情報Ｉｓ及び現場情報Ｉｆ、並びに他のデータによって直接選ぶこともできる。これにより、緊急指令システムは、緊急事態発生場所Ｅにおける実時間反映した警報情報Ｓａによって、緊急事態発生場所Ｅを確認し、推薦方案Ｒは動態方法によって生成され、且つ更新する。
【００１６】
図４に示したように、現場状況判断モードＭｉ中、方案提供モジュール５１は、先ず、入力インターフェースユニット１０に選択される推薦方案Ｒを作成する。本発明の実施形態一において、該推薦方案Ｒは二つである。
【００１７】
図５に示したように、選択された推薦方案Ｒは、入力インターフェースユニット１０によって、且つ実際の必要に応じて編集される、或いは策略データＤｔとして設定される。本発明の実施形態一において、二つの選択された推薦方案Ｒは、それぞれ編集されて、確定すると、策略データＤｔとして設定される。
【００１８】
図６に示したように、方案提供モジュール５１は、緊急事態発生場所Ｅにおける未来の現場状況をシミュレーションした現場状況判断図表Ｄｉを作成し、該現場状況判断図表Ｄｉは、推薦方案Ｒの現場シミュレーションデータＤｓと、策略データＤｔと、によって作成される。本発明の実施形態一において、未来状况シミュレーション時間は３分に設定されるが、この時間は、実際の必要に応じて、入力インターフェースユニット１０によって調整することができる。また、現場状況判断モードＭｉは、策略データＤｔにおける策略效果を示すために用いられる。
【００１９】
図７に示したように、現場状況推断ユニット５０は、警告情報Ｗを生成した後、動態変更情報Ｓｕと応答して、現場状況判断モードＭｉ中の緊急事態発場所Ｅの状況変化を報告し且つ策略データＤｔにおける策略效果を記録する。具体的には、策略效果が、現場状況判断モードＭｉ（図６を参照）中で生成された未来状况をシミュレーションした予期効果より良くない場合、現場状況推断ユニット５０は、警告情報Ｗを生成し且つ端末装置１００のユーザーに知らせて更なる策略を調整させる。
【００２０】
図８は、本発明の実施形態二を示す図である。緊急動態提供ユニット４０及び現場状況推断ユニット５０は、遠隔計算システム１０００の中に設置された際、ネット５００と、緊急指令システムと、によって通信される。緊急指令システムは、警報情報Ｓａと、緊急事態発生場所Ｅにおける現場情報Ｉｆと、策略データＤｔと、を遠隔計算システム１０００に送信して、該遠隔計算システム１０００が生成した現場状況判断図表Ｄｉを受信する。本発明の実施形態二において、遠隔計算システム１０００は、クラウドコンピューティングシステムである。また、現場情報ユニット３０は、遠隔計算システム１０００中に設置することができる。これに対応して、緊急指令システムは、警報情報Ｓａ及び策略データＤｔを遠隔計算システム１０００に直接に送信することができ、また、該遠隔計算システム１０００は、現場状況判断図表Ｄｉを受信する。指揮ユニット６０は、策略データＤｔによって指揮信号Ｓｃ（図示せず）を生成し、該指揮信号Ｓｃは、入力インターフェースユニット１０の制御信号（図示せず）に対して応答し且つ指揮信号Ｓｃを端末装置１００に送信する。本発明の実施形態二において、策略データＤｔは、端末装置１００によって情報を提供し、例えば、端末装置１００のユーザーの指令を提供する。これに対応して、指揮ユニット６０は、指揮信号Ｓｃを端末装置１００に送信して、該端末装置１００のユーザーに情報を提供する。また、策略データＤｔは、緊急事態発生場所Ｅ中の現場内の消防装置の情報を備え、指揮ユニット６０は、指揮信号Ｓｃを消防装置に送信して、消防装置を起動させる。
【００２１】
図９に示したように、本発明の実施形態一に係る緊急指令方法は、以下のステップを含む。
【００２２】
ステップＳ１、災害調査装置が、緊急事態における警報情報Ｓａを受信する。ステップＳ２、警報情報Ｓａと、緊急事態における現場情報Ｉｆ及び端末装置１００における端末装置情報信号Ｓｔと、によって、現場シミュレーションデータＤｓを作成する。ここでの端末装置１００は移動装置、例えばタブレットパソコン或いはスマートフォンなどである。現場情報Ｉｆは、消防装置情報Ｉａを備え、該消防装置情報Ｉａは、緊急事態が発生した現場における消防装置の情報を備える。消防装置の情報は、例えば消防装置の種類、位置、或いは他の機能などである。現場シミュレーションデータＤｓは、警報情報Ｓａ及び現場情報Ｉｆによって直接生成することができる、或いは警報情報Ｓａ、現場情報Ｉｆ及び緊急事態が発生した現場の他のデータによって生成することもできる。
【００２３】
ステップＳ３、仕事モード中において、緊急事態の指揮方法を選択する。選択する仕事モードは、実時間観察モードＭｍ（図２を参照）と、予測モードＭｆ（図３を参照）及び現場状況判断モードＭｉ（図５〜７を参照）と、を備える。仕事モードは、例えばキーボード、マウス、或いはタッチパネルなどの入力インターフェースユニット１０から選ぶ。現場シミュレーションデータＤｓ及び策略データＤｔによって、現場状況判断図表Ｄｉを作成し、ディスプレイなどの出力インターフェースユニット２０によって表示する。策略データＤｔは、入力インターフェースユニット１０によって入力される。
【００２４】
ステップＳ４１、実時間観察モードＭｍを選んだ場合、現場シミュレーションデータＤｓによって、緊急事態発生場所Ｅの現場状况の未来状況をシミュレーションした現場状況判断図表Ｄｉを作成する。ステップＳ４２、予測モードを選んだ場合Ｍｆ、現場シミュレーションデータによって、緊急事態発生場所Ｅの現場状况の未来状況をシミュレーションした現場状況判断図表Ｄｉを作成する。ステップＳ４３、現場状況判断モードＭｉを選んだ場合、現場シミュレーションデータＤｓ及び策略データＤｔによって、緊急事態発生場所Ｅの現場状况の未来状況をシミュレーションした現場状況判断図表Ｄｉを作成する。本発明の実施形態一において、警報情報Ｓａ及び緊急事態が発生した現場の情報によって推薦方案Ｒが作成され、該推薦方案Ｒは、入力インターフェースユニット１０によって編集され、且つ策略データＤｔとして設定される。推薦方案Ｒは、警報情報Ｓａ、現場情報Ｉｆ及び動態の変更情報Ｓｕによって変更され、緊急事態発生場所Ｅの状況の変化における動態の変更情報Ｓｕと応答する。緊急事態発生場所Ｅの情報の変化を獲得し、該情報の変化は、例えば、端末装置１００のユーザーの報告であり、動態変更情報Ｓｕは、端末装置１００から獲得する。作成された警告情報Ｓａ（図７を参照）は、動態変更情報Ｓｕと応答する。策略データＤｔにおける策略效果が、現場状況判断モードＭｉ（図６を参照）中で生成された未来状况をシミュレーションした予期効果より良くない場合、警告情報Ｓａが生成される。
【００２５】
ステップＳ５、制御信号を受信した場合は次のステップを執行し、受信しなかった場合はステップＳ１を執行する。制御信号は、入力インターフェースユニット１０に受信される。ステップＳ６、策略データＤｔは、指揮信号Ｓｃを生成する。ステップＳ７、端末装置１００は、指揮信号Ｓｃを送信する。本発明の実施形態一において、策略データＤｔは、端末装置１００によって提供された信号を備え、並びに端末装置１００に指揮信号Ｓｃを提供する。また、策略データＤｔは、少なくとも一つの消防設備を備え、指揮信号Ｓｃを該消防装置に送信して、消防装置を起動させる。本発明の実施形態一において、ステップＳ１〜Ｓ７は、電子装置の中で執行され、該電子装置はパソコン或いはノートパソコンなどである。また、ステップＳ２〜Ｓ３は、インターネットを利用して通信された遠隔計算システム１０００中で執行される。
【００２６】
図１０及び図１１に示したように、本発明の実施形態二に係る緊急指令方法は、以下のステップを備える。
【００２７】
ステップＳ１１、災害調査装置が、緊急事態における警報情報Ｓａを受信する。ステップＳ１２、警報情報Ｓａ、緊急事態における現場情報Ｉｆ及び策略データＤｔを遠隔計算システムに送信する。本発明の実施形態二において、遠隔計算システム１０００は、クラウドコンピューティングシステムであり、現場情報Ｉｆは、遠隔計算システムによって提供される。また、警報情報Ｓａ、策略データＤｔを遠隔計算システム１０００に直接送信することもできる。ステップＳ１３、警報情報Ｓａ、現場情報Ｉｆ及び端末装置１００の情報によって、現場シミュレーションデータＤｓが生成される。ステップＳ１４、緊急指令方法の仕事モードを選ぶ。ステップＳ１５１、実時間観察モードＭｍを選んだ場合、現場シミュレーションデータＤｓによって、緊急事態発生場所Ｅの現場状况の未来状況をシミュレーションした現場状況判断図表Ｄｉを作成する。ステップＳ１５２、予測モードＭｆを選んだ場合、現場シミュレーションデータＤｓによって、緊急事態発生場所Ｅの現場状况の未来状況のシミュレーションに対応する現場状況判断図表Ｄｉを作成する。ステップＳ１５３、現場状況判断モードＭｉを選んだ場合、現場シミュレーションデータＤｓ及び策略データＤｔによって、緊急事態発生場所Ｅの現場状况の未来状況のシミュレーションに対応する現場状況判断図表Ｄｉを作成する。ステップＳ１６、遠隔計算システム１０００から現場状況判断図表Ｄｉを受信する。ステップＳ１７、制御信号を受信した場合は次のステップを執行し、受信しなかった場合はステップＳ１を執行する。ステップＳ１８、策略データＤｔが、指揮信号Ｓｃを生成する。ステップＳ１９、端末装置１００が指揮信号Ｓｃを送信する。
【００２８】
本発明に係る緊急指令システム及びその方法は、緊急事態発生場所Ｅの十分な情報を提供でき、且つ緊急事態発生場所Ｅを指揮することができる。また、仕事モードを選択することを通して、策略の效果を予測し、実時間に記録することができる。これにより、緊急事態が発生した際に最も適した緊急指令を正確に、且つ迅速に伝達することができる。
【００２９】
以上、本発明の好適な実施形態について詳細に説明したが、本発明は実施形態に限定されるものではなく、本発明の範囲内で種々な変形又は修正が可能であり、該変形又は修正もまた、本発明の特許請求の範囲内に含まれるものであることは、言うまでもない。
【符号の説明】
【００３０】
１０        入力インターフェースユニット
２０        出力インターフェースユニット
３０        現場情報ユニット
３１        現場情報
４０        緊急事態提供ユニット
５０        現場状況推断スユニット
５１        方案提供モジュール
５１１      予定誘導方案データベース
６０        指揮ユニット
１００      端末装置
２００      無線ネットワーク
３００      災害調査装置
４００      センサー
５００      インターネット
１０００    遠隔計算システム
Ｅ          緊急事態発生場所
Ｄｉ        現場状況判断図表
【図１】
2013097810.tif 000003
【図２】
2013097810.tif 000004
【図３】
2013097810.tif 000005
【図４】
2013097810.tif 000006
【図５】
2013097810.tif 000007
【図６】
2013097810.tif 000008
【図７】
2013097810.tif 000009
【図８】
2013097810.tif 000010
【図９】
2013097810.tif 000011
【図１０】
2013097810.tif 000012
【図１１】
2013097810.tif 000013